(57)【要約】      （修正有）【課題】操作者が安全に紙を取り出すことができるシュレッダーの給紙口可動式安全保護板の提供。【解決手段】主にシュレッダー給紙口の幅を改変可能な可動式安全保護板で、シュレッダー給紙口の側辺に可動式スライドブロックを設置し、該スライドブロックと該給紙口の相対位置を変えることにより、シュレッダーが紙前進運転にある時には、シュレッダー給紙口の幅はより狭い所定状態となり、指が巻き込まれ負傷することを回避可能である。反対に、紙を退出させる時には、該給紙口の幅をより広い所定状態とし、操作者の紙取り出しの便を図る。さらには該スライドブロックの活動行程位置に対応しスイッチを設置し、該スライドブロックが該給紙口幅を広くしリバース機能位置に入る時には、シュレッダーの電源を切断し、モーターを停止させることにより操作者の安全を確保する。【選択図】図１
0003130258.tif 000002
【実用新案登録請求の範囲】
【請求項１】
ハウジング、スライドブロックを含み、
該ハウジングは給紙口を設置し、関連構成部品を設置する機械構造体で、
該スライドブロックは該ハウジングの該給紙口側辺位置に設置し、該給紙口との相対位置を変化させることにより、紙前進状態である時には該給紙口の幅をより広くし、リバース状態である時には該給紙口の幅をより広くすることを特徴とするシュレッダーの給紙口可動式安全保護板。
【請求項２】
請求項１記載のシュレッダーの給紙口可動式安全保護板において、前記ハウジングは該給紙口下方の部位に対応し下方へと延伸する導槽を設置し、該導槽の槽口がシュレッダーの給紙口で、該導槽は該槽口下方の位置において該スライドブロックを設置する窓を設置し、該窓の側辺位置には該スライドブロックの脱落を防止する少なくとも１個の位置制限台を設置することを特徴とするシュレッダーの給紙口可動式安全保護板。
【請求項３】
請求項２記載のシュレッダーの給紙口可動式安全保護板において、前記位置制限台上には水平方向に配置する導引孔を設置し、該スライドブロックの側面には該導引孔に相対し進入する導柱を設置することを特徴とするシュレッダーの給紙口可動式安全保護板。
【請求項４】
請求項２記載のシュレッダーの給紙口可動式安全保護板において、前記導槽の幅は下方へと徐々に広くなることを特徴とするシュレッダーの給紙口可動式安全保護板。
【請求項５】
ハウジング、スライドブロック、少なくとも１組の定位部品を含み、
該ハウジングは給紙口を設置し、関連構成部品を設置する機械構造体で、
該スライドブロックは該ハウジングの該給紙口側辺位置に設置し、該給紙口との相対位置を変化させることにより、紙前進状態である時には該給紙口の幅をより広くし、リバース状態である時には該給紙口の幅をより広くし、
該少なくとも１組の定位部品は該スライドブロックの活動行程位置に設置し、これにより該スライドブロックは該給紙口をより広い及びより狭い位置に保持させることを特徴とするシュレッダーの給紙口可動式安全保護板。
【請求項６】
請求項５記載のシュレッダーの給紙口可動式安全保護板において、前記各定位部品はさらに定位ボタン、再定位部品を含み、
該定位ボタンにより該スライドブロックは該給紙口をより広い状態に定位し、
該再定位部品は回復力により、該スライドブロックを押し戻し、該給紙口をより狭い状態にすることを特徴とするシュレッダーの給紙口可動式安全保護板。
【請求項７】
請求項６記載のシュレッダーの給紙口可動式安全保護板において、前記ハウジングは該給紙口下方の部位に対応し下方へと延伸する導槽を設置し、該導槽の槽口はシュレッダーの給紙口で、該導槽は該槽口下方の位置において該スライドブロックを設置する窓を設置し、
該各定位部品の定位ボタンはバネ台を通して該ハウジングの該導槽窓側辺に対応する位置に設置し、該ハウジングは該定位ボタンを露出させるボタン孔を対応設置し、該バネ台には、該定位ボタンを常に該ハウジング上方に向けて押上げる圧迫バネを設置し、該定位ボタンと該スライドブロックが対応する位置には定位凸点と定位凹孔をそれぞれ設置することを特徴とするシュレッダーの給紙口可動式安全保護板。
【請求項８】
請求項６記載のシュレッダーの給紙口可動式安全保護板において、前記ハウジングは該給紙口下方の部位に対応し下方へと延伸する導槽を設置し、該導槽の槽口はシュレッダーの給紙口で、該導槽は該槽口下方の位置において該スライドブロックを設置する窓を設置し、
該窓の側辺位置には該スライドブロックの脱落を防止する少なくとも１個の位置制限台を設置し、
該各定位部品中の再定位部品は該位置制限台と該スライドブロック間に配置する圧縮バネにより構成されることを特徴とするシュレッダーの給紙口可動式安全保護板。
【請求項９】
請求項１或いは請求項６記載のシュレッダーの給紙口可動式安全保護板において、前記スライドブロックの活動行程位置にはスイッチを設置し、該スイッチは該スライドブロックがシュレッダーの給紙口幅を広くする位置に入る時に対応し、シュレッダーのモーター電源を切断することを特徴とするシュレッダーの給紙口可動式安全保護板。
【請求項１０】
請求項１或いは請求項６記載のシュレッダーの給紙口可動式安全保護板において、前記ハウジングは該給紙口下方の部位に対応し下方へと延伸する導槽を設置し、該導槽の槽口はシュレッダーの給紙口で、該導槽は該槽口下方の位置において該スライドブロックを設置する窓を設置し、
該スイッチは該導槽の窓側辺の該スライドブロックに接触し動かすことができる位置に固設することを特徴とするシュレッダーの給紙口可動式安全保護板。
【考案の詳細な説明】
【技術分野】
【０００１】
本考案は一種のシュレッダーに関する。特に一種のシュレッダーに紙が入り運転する時には、給紙口の幅をより狭い所定状態に設定し指が給紙口に巻き込まれ怪我をすることを回避し、シュレッダーが紙を戻す必要がありリバース運転に切り替える時には、シュレッダーの給紙口の幅は所定のより広い状態に変化させることができ、これにより操作者は便利に紙を取り出すことができるシュレッダーの給紙口可動式安全保護板に係る。
【背景技術】
【０００２】
公務で用いる法律的な文書、金融関係の証明書、領収書、クレジットカード番号、研究レポート、或いはクレジットカードの明細など家庭の構成員の財務データ、電話番号などが、外部に流出し不適当な人に入手されることを回避するため、通常はシュレッダーを用い機密文書或いは資料を細断処理する。このようにシュレッダーはビジネスと家庭生活においてなくてはならない設備となっている。
【０００３】
米国民生用製品安全協会（US Consumer Product Safety Commission ;CPSC）は２００４年５月、シュレッダーに対する安全警告第５１２７号（Paper Shredder Safety Alert）を発した。該警告は主にシュレッダーを所有する家庭に家庭の構成員がシュレッダーを操作する時の安全に注意するよう特に呼びかけるものである。該協会は、２０００年１月から２００３年１２月までの間に、シュレッダーの操作時に不注意で指に傷害を負った事故が３１件報告されていると指摘しており、絶対多数の負傷者は１４ヶ月から２歳までの子供（children）で、特に歩き始めたばかりの幼児（toddlers）が多いという。この段階にある幼児は大人の動作を真似るのが好きで、大人が注意していない時にシュレッダーをいたずらし負傷するが、たとえ大人がそばで見ていても傷害の発生を防ぐことはできない。なぜなら、シュレッダーが紙を破砕する過程において紙に対して及ぼす引力は、もし紙を持っている指をタイミング良く離さなければ（let the paper go）、該引力は指をシュレッダーの給紙口（shredder opening）に一緒に引き込んでしまい（pull into）、傷害事故が起きてしまう。
【０００４】
そのため、CPSCはシュレッダーの使用時に以下の事項に注意するよう警告している。
１．幼児にシュレッダーを単独で操作させない。必ず大人が横で監視し、シュレッダーの引力が幼児の指を紙と一緒にシュレッダーの給紙口に引き込む危険があることを理解しておく必要がある。
２．シュレッダーを幼児の手の届く場所に置かない。
３．シュレッダーを使用しない時には、電源プラグを抜く。
４．手或いは指をシュレッダー上に置かない。
５．シュレッダーの給紙口に巻き込まれる恐れがあるため、ゆるい衣服を着ている時はシュレッダーを操作しない。
６．ネクタイ或いはネックレスとシュレッダーの給紙口は安全な距離を保たなければならない。
【０００５】
さらに、現在市販されている一般のシュレッダーの給紙口幅は約６ｍｍであるが、この給紙口の幅では、幼児が指を挿入しカッターに傷つけられ、さらには破砕されてしまう可能性を孕むものである。そのため、シュレッダーの給紙口幅を縮小すれば指が給紙口に巻き込まれ負傷する事故を防止できると考える人もいる。しかし、シュレッダー給紙口の幅は、前進（ａｕｔｏ）と後退（ｒｅｖ）のニーズを同時に満たす必要がある。つまり、紙を円滑にシュレッダーに送り込み破砕することができる他に、紙詰まり（ｊａｍ）状況を排除するため紙を後退（ｒｅｖ）させる時には、狭くした給紙口では紙詰まり排除が困難である。よって、シュレッダー給紙口の幅を単に狭くするだけでは、本当にシュレッダーの安全性に対する問題を解決したことにはならない。
【考案の開示】
【考案が解決しようとする課題】
【０００６】
本考案はシュレッダーに紙が入り運転する時には、給紙口の幅をより狭い所定状態に設定し指が給紙口に巻き込まれ怪我をすることを回避し、シュレッダーが紙を戻す必要がある時には、シュレッダーの給紙口の幅は所定のより広い状態に変化させることができ、これにより操作者が安全に紙を取り出すことができる安全防護措置を提供し、
またそれは、スライドブロックの活動行程位置に対応しスイッチを設置し、操作者がシュレッダーの該給紙口幅を広くしリバース機能位置に入る時には、安全防護装置全体はシュレッダーの電源を切断し、モーターを停止させることにより操作者の安全を確保する。
【０００７】
上記の目的を達成させるためと公知製品の操作に危険が発生し易い点を改善するため、本考案の可動式安全保護板はシュレッダー給紙口側辺位置に可動式スライドブロックを設置し、該スライドブロックの位置を変えることにより、シュレッダーが紙前進運転にある時には、シュレッダー給紙口の幅はより狭い所定状態となり、指が巻き込まれ負傷することを回避可能で、
紙を退出させる必要がある時には、シュレッダーの該給紙口の幅をより広い所定状態とし、操作者の紙取り出しの便を図り、
さらには該スライドブロックの活動行程位置に対応しスイッチを設置し、該スライドブロックが該給紙口幅を広くしリバース機能位置に入る時には、シュレッダーの電源を切断し、モーターを停止させることにより操作者の安全を確保するシュレッダーの給紙口可動式安全保護板を提供する。
【課題を解決するための手段】
【０００８】
請求項１の考案は、ハウジング、スライドブロックを含み、
該ハウジングは給紙口を設置し、関連構成部品を設置する機械構造体で、
該スライドブロックは該ハウジングの該給紙口側辺位置に設置し、該給紙口との相対位置を変化させることにより、紙前進状態である時には該給紙口の幅をより広くし、リバース状態である時には該給紙口の幅をより広くすることを特徴とするシュレッダーの給紙口可動式安全保護板としている。
請求項２の考案は、請求項１記載のシュレッダーの給紙口可動式安全保護板において、前記ハウジングは該給紙口下方の部位に対応し下方へと延伸する導槽を設置し、該導槽の槽口がシュレッダーの給紙口で、該導槽は該槽口下方の位置において該スライドブロックを設置する窓を設置し、該窓の側辺位置には該スライドブロックの脱落を防止する少なくとも１個の位置制限台を設置することを特徴とするシュレッダーの給紙口可動式安全保護板としている。
請求項３の考案は、請求項２記載のシュレッダーの給紙口可動式安全保護板において、前記位置制限台上には水平方向に配置する導引孔を設置し、該スライドブロックの側面には該導引孔に相対し進入する導柱を設置することを特徴とするシュレッダーの給紙口可動式安全保護板としている。
請求項４の考案は、請求項２記載のシュレッダーの給紙口可動式安全保護板において、前記導槽の幅は下方へと徐々に広くなることを特徴とするシュレッダーの給紙口可動式安全保護板としている。
【０００９】
請求項５の考案は、ハウジング、スライドブロック、少なくとも１組の定位部品を含み、該ハウジングは給紙口を設置し、関連構成部品を設置する機械構造体で、
該スライドブロックは該ハウジングの該給紙口側辺位置に設置し、該給紙口との相対位置を変化させることにより、紙前進状態である時には該給紙口の幅をより広くし、リバース状態である時には該給紙口の幅をより広くし、
該少なくとも１組の定位部品は該スライドブロックの活動行程位置に設置し、これにより該スライドブロックは該給紙口をより広い及びより狭い位置に保持させることを特徴とするシュレッダーの給紙口可動式安全保護板としている。
請求項６の考案は、請求項５記載のシュレッダーの給紙口可動式安全保護板において、前記各定位部品はさらに定位ボタン、再定位部品を含み、
該定位ボタンにより該スライドブロックは該給紙口をより広い状態に定位し、
該再定位部品は回復力により、該スライドブロックを押し戻し、該給紙口をより狭い状態にすることを特徴とするシュレッダーの給紙口可動式安全保護板としている。
請求項７の考案は、請求項６記載のシュレッダーの給紙口可動式安全保護板において、前記ハウジングは該給紙口下方の部位に対応し下方へと延伸する導槽を設置し、該導槽の槽口はシュレッダーの給紙口で、該導槽は該槽口下方の位置において該スライドブロックを設置する窓を設置し、
該各定位部品の定位ボタンはバネ台を通して該ハウジングの該導槽窓側辺に対応する位置に設置し、該ハウジングは該定位ボタンを露出させるボタン孔を対応設置し、該バネ台には、該定位ボタンを常に該ハウジング上方に向けて押上げる圧迫バネを設置し、該定位ボタンと該スライドブロックが対応する位置には定位凸点と定位凹孔をそれぞれ設置することを特徴とするシュレッダーの給紙口可動式安全保護板としている。
請求項８の考案は、請求項６記載のシュレッダーの給紙口可動式安全保護板において、前記ハウジングは該給紙口下方の部位に対応し下方へと延伸する導槽を設置し、該導槽の槽口はシュレッダーの給紙口で、該導槽は該槽口下方の位置において該スライドブロックを設置する窓を設置し、
該窓の側辺位置には該スライドブロックの脱落を防止する少なくとも１個の位置制限台を設置し、
該各定位部品中の再定位部品は該位置制限台と該スライドブロック間に配置する圧縮バネにより構成されることを特徴とするシュレッダーの給紙口可動式安全保護板としている。
請求項９の考案は、請求項１或いは請求項６記載のシュレッダーの給紙口可動式安全保護板において、前記スライドブロックの活動行程位置にはスイッチを設置し、該スイッチは該スライドブロックがシュレッダーの給紙口幅を広くする位置に入る時に対応し、シュレッダーのモーター電源を切断することを特徴とするシュレッダーの給紙口可動式安全保護板としている。
請求項１０の考案は、請求項１或いは請求項６記載のシュレッダーの給紙口可動式安全保護板において、前記ハウジングは該給紙口下方の部位に対応し下方へと延伸する導槽を設置し、該導槽の槽口はシュレッダーの給紙口で、該導槽は該槽口下方の位置において該スライドブロックを設置する窓を設置し、
該スイッチは該導槽の窓側辺の該スライドブロックに接触し動かすことができる位置に固設することを特徴とするシュレッダーの給紙口可動式安全保護板としている。
【考案の効果】
【００１０】
本考案給紙口可動式安全保護板は、シュレッダーに紙が入り運転する時には、給紙口の幅をより狭い所定状態に設定し指が給紙口に巻き込まれ怪我をすることを回避し、反対にシュレッダーが紙を退出させる必要がある時には、シュレッダーの給紙口の幅は所定のより広い状態に変化させることができる。これにより操作者は便利に紙を取り出すことができ、さらにモーターの電源を切断することにより、操作の安全を確保し、シュレッダー全体の安全性を大幅に向上させることができる。
【考案を実施するための最良の形態】
【００１１】
本考案の構造分解図である図１、本考案の平面構造図である図２に示すように、可動式安全保護装置はシュレッダー給紙口１１側辺に設置するスライドブロック２１を主体とする。該スライドブロック２１の作用は主に相対位置の改変を行うことにより給紙口幅を変えることである。
実際の応用時には、シュレッダーのハウジング１は安全装置関連構成部品を設置した機械構造体で、該ハウジング１は該給紙口１１下方位置に対応し下方に向けて導槽１２を延伸する。該導槽１２の槽口はシュレッダーの給紙口１１で、この導槽１２は槽口下方において該スライドブロック２１を設置する窓１２１を設置する。また該窓１２１の側辺には少なくとも１個の位置制限台２２を設置し、該位置制限台２２のガード作用により該スライドブロック２１の脱落を防止する。
【００１２】
さらに図２のB-B断線線における位置制限台の構造図である図４に同時に示すように、該位置制限台２２は水平方向に配置する導引孔２２１を設置する。該スライドブロック２１の側面には相対し該導引孔２２１に進入する導柱２１１を設置する。該導柱２１１と該導引孔２２１の相対挿入接合を通して、該スライドブロック２１を該ハウジング１の給紙口１１側辺位置において制限する。該導槽１２の幅は下方へと徐々に広くなる設計に対応し、該スライドブロック２１が該導柱２１１の導引に従い位置を変える時、該給紙口１１の幅をより広い或いはより狭い状態に変えることができる。
【００１３】
本考案の構造分解図である図１に示すように、安全防護装置全体はさらにスライドブロック２１の活動行程位置にスイッチ２３を設置する。実施時には、該スイッチ２３は該ハウジング１導槽１２窓１２１側辺の該スライドブロック２１により接触される位置に固設し、これにより該スライドブロック２１がシュレッダー給紙口１１の幅が比較的広いリバース機能位置に入る時、安全防護板は該スイッチ２３を通してシュレッダーのモーターの電源を切り、モーターは運転を停止し操作者の安全を確保する。
【００１４】
本考案の安全防護装置は別に、該スライドブロック２１が前進/後退機能位置を保持させることができる機構を設置する。本考案の構造分解図である図１、図２のA-A断面線における定位ブロックの構造図である図３、図２のB-B断線線における位置制限台の構造図である図４に示すように、安全防護装置全体はさらに該スライドブロック２１の活動行程位置に少なくとも１組の定位部品２４を設置し、これにより該スライドブロック２１は該給紙口１１の幅を広い及び狭い位置に保持することができる。
該定位部品２４は定位ボタン２４１、再定位部品２４２を含む。
該定位ボタン２４１は該スライドブロック２１を該給紙口１１幅がより広いリバース機能状態に定位し、該再定位部品２４２は回復力により、該スライドブロック２１を該給紙口１１幅が狭い前進機能状態に押し戻すことができる。
【００１５】
実施時には、該１組の定位部品２４の定位ボタン２４１はバネ台２４３を通して、該ハウジング１の該導槽１２窓１２１側辺に対応する位置に設置し、該ハウジング１は該定位ボタン２４１を露出させるボタン孔１３を対応し設置する。別に該バネ台２４３中には、該定位ボタン２４１を常に該ハウジング１上方に向けて押上げる圧迫バネ２４４を設置する。該各組の定位部品２４中の再定位部品２４２は該位置制限台２２と該スライドブロック２１間に配置する圧縮バネにより構成される。該圧縮バネにより構成される再定位部品２４２は該スライドブロック２１の導柱２１１上に穿設され、再定位部品２４２の安定を保持する。
【００１６】
さらに、該定位ボタン２４１と該スライドブロック２１の相対位置には定位凸点２４５と定位凹孔２１２をそれぞれ設置する。本考案のスライドブロックの動作表示図である図５に示すように、操作者が該スライドブロック２１を該給紙口１１を広くする方向に押し定位する時、該定位凸点２４５は該定位凹孔２１２中に嵌入し、該圧迫バネ２４４の押上げ作用を対応させ、該スライドブロック２１に対して効果的な係合作用を生じる。こうして該スライドブロック２１は該給紙口１１を、より広いリバース機能状態に固定し、操作者は簡単に紙を取り出すことができる。さらにこの前において、シュレッダーのモーターは該スイッチ２３の作用により電力切断状態となっているため、操作の安全性を確保することができる。
反対に、該スライドブロック２１を該給紙口１１が狭い紙前進機能状態に戻そうとする時には、操作者は該定位ボタン２４１を下方へと押し、該定位凸点２４５を該定位凹孔２１１中から退出させるだけで、該スライドブロック２１の係合作用を解除することができる。この時、該スライドブロック２１は該再定位部品２４２の作用により、該給紙口１１が狭い紙前進機能状態に押し戻され、指が該給紙口１１に引き込まれ負傷する恐れを払拭し、確実な安全防護効果を達成することができる。
【図面の簡単な説明】
【００１７】
【図１】本考案の構造分解図である。
【図２】本考案の平面構造図である。
【図３】図２のA-A断面線における定位ブロックの構造図である。
【図４】図２のB-B断線線における位置制限台の構造図である。
【図５】本考案のスライドブロックの動作表示図である。
【符号の説明】
【００１８】
１  ハウジング
１１  給紙口
１２  導槽
１２１  窓
１３  ボタン孔
２１  スライドブロック
２１１  導柱
２１２  定位凹孔
２２  位置制限台
２２１  導引孔
２３  スイッチ
２４  定位部品
２４１  定位ボタン
２４２  再定位部品
２４３  バネ台
２４４  圧迫バネ
２４５  定位凸点
【図１】
0003130258.tif 000003
【図２】
0003130258.tif 000004
【図３】
0003130258.tif 000005
【図４】
0003130258.tif 000006
【図５】
0003130258.tif 000007